(57)【要約】　　　（修正有）【課題】楕円形状の円運動をして室内等を広範囲にわたって高熱を放射する首振りハロゲンヒーターを安価に提供する。【解決手段】前側方もしくは後側方に回動し、且所定個所にモーター９を取着する上方基板部８と、支持脚の上端部の支持部の中心にセットした回転軸杆５に嵌挿する嵌挿孔を有し、且嵌挿孔の左右両サイドの左端部と右端部に直立状の脚部２を有する下方基板部とを別設し、両脚部に前記モーターより前端部寄りの上方基板部を回動可能に取着し、上方基板部と下方基板部との間にモーターに装着の回転軸１０を傾斜状カムの高い部位に接続し、カムより下方にカムを構成する低い部位にカムの回転等に頭部が離脱することなく遊動する接続杆の下端部とアーム２５の一端部とを固着し、アームの他端部に下方基板部の嵌挿孔内より突設する回転軸と回動可能に接続する。【選択図】　  図５
0003099600.tif 000002
【実用新案登録請求の範囲】
【請求項１】
前側方もしくは後側方に回動し、且所定個所にモーターを取着する上方基板部と、支持脚の上端部の支持部の中心にセットした回転軸杆に嵌挿する嵌挿孔を有し、且前記嵌挿孔の左右両サイドの左端部と右端部に直立状の脚部を有する下方基板部とを別設し、前記両脚部に前記モーターより前端部寄りの前記上方基板部を回動可能に取着し、前記上方基板部と下方基板部との間に前記モーターに装着の回転軸を傾斜状カムの高い部位に接続し、前記カムより下方にカムを構成する低い部位に前記カムの回転等に頭部が離脱することなく遊動する接続杆の下端部とアームの一端部とを固着し、前記アームの他端部に前記下方基板部の嵌挿孔内より突設する回転軸と回動可能に接続すると共に、前記上方基板部の前方部にパラボラ型にして、且略円形状の反射板とハロゲンヒーターランプとガード部とカバー部等をもって構成せしめる発熱体を取着し、前記上方基板部の後方部と下方基板部の後方端部とを接続するバネ体を取着せしめることを特徴とする首振りハロゲンヒーター。
【請求項２】
前記カム及びカムと接続する前記発熱体を回転する構成部材を、前記発熱体を右側方より左側方に正面視状態を保持して回転し、左側方に達すると前記発熱体が下向きとなり、そのまま所定の距離だけ右側方に回転し、所定の位置に達したら下向きから正面視状態に復元し、復元した直後に右側方から左側方に回転するようにしたことを特徴とする請求項１記載の首振りハロゲンヒーター。
【請求項３】
前記バネ体の強度を、前記カムが回転して前記発熱体が所定の角度だけ下向きになって回転するとき前記発熱体のカバー部の裏面部が支持脚の上端部の支持部等に接触して回動が阻害されない程度の強度とすることを特徴とする請求項１又は請求項２記載の首振りハロゲンヒーター。
【請求項４】
前記上方基板部と前記両脚部の上端部との接続を、接続杆を貫通せしめ前記上方基板部を前方もしくは後方に若干回動可能としたことを特徴とした請求項１又は請求項２又は請求項３記載の首振りハロゲンヒーター。
【請求項５】
前記上方基板部に取着のモーターは、１個とすることを特徴とする請求項１又は請求項２又は請求項３又は請求項４記載の首振りハロゲンヒーター。
【考案の詳細な説明】
【技術分野】
【０００１】
本考案は、ハロゲンヒーターを構成する発熱体を右側方から左側方に正面視状態を保持せしめ回転し、左側方に達すると若干下向きに傾斜し右側方に回転し、右側方に達すると正面視状態に復元して、復元直後に右側方から左側方へと楕円形状の円運動をする首振りハロゲンヒーターの分野に関するものである。
【背景技術】
【０００２】
　従来首振りハロゲンヒーターとして、登録実用新案第３０８３６７３号が開示されている。
【０００３】
　この開示の実用新案は、発熱体を左右、上下等の方向に駆動する自在首振機構を介装したものであるが、上下動を行う上下動モーターと、左右動を行う左右動用モーターとを必要としている。
【０００４】
　前記開示公報のものは、２台のモーターを必要とし、夫々のモーターの駆動力を伝達して首振りをさせる機構は、複雑で部品点数も多くなって、製作費の昂騰を惹起せしめるものである。
【特許文献１】実用新案登録第３０８３６７３号
【考案の開示】
【考案が解決しようとする課題】
【０００５】
　本考案の首振りハロゲンヒーターを構成する発熱体を所定の角度にわたって正面視の水平状態を保持しながら回転し、所定の位置に達すると前記発熱体が若干下向き状態となり、その直後に前記の回転と逆方向に所定の角度だけ回転し、所定の部位に達すると前記発熱体が正面視の状態に復元し、復元直後に再度右側方から左側方に所定の角度だけ回転するという、いわゆる下向きに傾斜しながら楕円形状に回転させながら、室内等を広範囲にわたって高熱を放射する首振りハロゲンヒーターを安価に提供せしめるものである。
【０００６】
　さらに本考案の首振りハロゲンヒーターは、首振り機構の構成部材をシンプルにして、故障率を極力なくしたものである。
【課題を解決するための手段】
【０００７】
請求項１記載の考案は、前側方もしくは後側方に回動し、且所定個所にモーターを取着する上方基板部と、支持脚の上端部の支持部の中心にセットした回転軸杆に嵌挿する嵌挿孔を有し、且前記嵌挿孔の左右両サイドの左端部と右端部に直立状の脚部を有する下方基板部とを別設し、前記両脚部に前記モーターより前端部寄りの前記上方基板部を回動可能に取着し、前記上方基板部と下方基板部との間に前記モーターに装着の回転軸を傾斜状カムの高い部位に接続し、前記カムより下方にカムを構成する低い部位に前記カムの回転等に頭部が離脱することなく遊動する接続杆の下端部とアームの一端部とを固着し、前記アームの他端部に前記下方基板部の嵌挿孔内より突設する回転軸と回動可能に接続すると共に、前記上方基板部の前方部にパラボラ型にして、且略円形状の反射板とハロゲンヒーターランプとガード部とカバー部等をもって構成せしめる発熱体を取着し、前記上方基板部の後方部と下方基板部の後方端部とを接続するバネ体を取着せしめることを特徴とする首振りハロゲンヒーターである。
【０００８】
　請求項２記載の考案は、前記カム及びカムと接続する前記発熱体を回転する構成部材を、前記発熱体を右側方より左側方に正面視状態を保持して回転し、左側方に達すると前記発熱体が下向きとなり、そのまま所定の距離だけ右側方に回転し、所定の位置に達したら下向きから正面視状態に復元し、復元した直後に右側方から左側方に回転するようにしたことを特徴とする請求項１記載の首振りハロゲンヒーターである。
【０００９】
　請求項３記載の考案は、前記バネ体の強度を、前記カムが回転して前記発熱体が所定の角度だけ下向きになって回転するとき前記発熱体のカバー部の裏面部が支持脚の上端部の支持部等に接触して回動が阻害されない程度の強度とすることを特徴とする請求項１又は請求項２記載の首振りハロゲンヒーターである。
【００１０】
　請求項４記載の考案は、前記上方基板部と前記両脚部の上端部との接続を、接続杆を貫通せしめ前記上方基板部を前方もしくは後方に若干回動可能としたことを特徴とした請求項１又は請求項２又は請求項３記載の首振りハロゲンヒーターである。
【００１１】
　請求項５記載の考案は、前記上方基板部に取着のモーターは、１個とすることを特徴とする請求項１又は請求項２又は請求項３又は請求項４記載の首振りハロゲンヒーターである。
【考案の効果】
【００１２】
　請求項１記載の考案の首振りハロゲンヒーターは、前側方もしくは後側方に回動し、且所定個所にモーターを取着する上方基板部と、支持脚の上端部の支持部の中心にセットした回転軸杆に嵌挿する嵌挿孔を有し、且前記嵌挿孔の左右両サイドの左端部と右端部に直立状の脚部を有する下方基板部とを別設し、前記両脚部に前記モーターより前端部寄りの前記上方基板部を回動可能に取着し、前記上方基板部と下方基板部との間に前記モーターに装着の回転軸を傾斜状カムの高い部位に接続し、前記カムより下方にカムを構成する低い部位に前記カムの回転等に頭部が離脱することなく遊動する接続杆の下端部とアームの一端部とを固着し、前記アームの他端部に前記下方基板部の嵌挿孔内より突設する回転軸と回動可能に接続すると共に、前記上方基板部の前方部にパラボラ型にして、且略円形状の反射板とハロゲンヒーターランプとガード部とカバー部等をもって構成せしめる発熱体を取着し、前記上方基板部の後方部と下方基板部の後方端部とを接続するバネ体を取着せしめる首振りハロゲンヒーターなので、部品点数を極力節減してシンプル化を図り、シンプル化によって安価に製作できるようにした。
【００１３】
請求項２記載の考案は、前記カム及びカムと接続する前記発熱体を回転する構成部材を、前記発熱体を右側方より左側方に正面視状態を保持して回転し、左側方に達すると前記発熱体が下向きとなり、そのまま所定の距離だけ右側方に回転し、所定の位置に達したら下向きから正面視状態に復元し、復元した直後に右側方から左側方に回転するようにした首振りハロゲンヒーターなので、ハロゲンヒーターを構成する発熱体を広角度でしかも下方向きにして首振り回転をさせ室内等を隈なく暖房を可能にした。
【００１４】
　さらに本考案は、請求項１記載の考案と同じ効果を有している。
【００１５】
請求項３記載の考案は、前記バネ体の強度を、前記カムが回転して前記発熱体が所定の角度だけ下向きになって回転するとき前記発熱体のカバー部の裏面部が支持脚の上端部の支持部等に接触して回動が阻害されない程度の強度とする首振りハロゲンヒーターなので、発熱体の正面視状態から下向き状態に適宜変化する上方基板部の回動をスムーズにした。
【００１６】
　さらに本考案は、請求項１又は２記載の考案と同じ効果を有している。
【００１７】
　請求項４記載の考案は、前記上方基板部と前記両脚部の上端部との接続を、接続杆を貫通せしめ前記上方基板部を前方もしくは後方に若干回動可能とした首振りハロゲンヒーターなので、発熱体を取着する上方基板部の回転動作をスムーズに行うことができる。
【００１８】
　さらに本考案は、請求項１又は請求項２又は請求項３記載の考案と同じ効果を有している。
【００１９】
　請求項５記載の考案は、前記上方基板部に取着のモーターは、１個とすることを特徴とする首振りハロゲンヒーターなので、１台のモーターで、このモーターと連動する各構成部材も併せてシンプルにすると共に、製作費を従来のものに比し著しく節減を可能にした。
【００２０】
　さらに本考案は、前記請求項１又は請求項２又は請求項３又は請求項４記載の考案と同じ効果を有している。
【考案を実施するための最良の形態】
【００２１】
本考案の首振りハロゲンヒーターの請求項１〜５記載の考案に関する実施の形態は、図面にもとづき以下のとおり一括して説明する。
【００２２】
図面において、ａは本考案の首振りハロゲンヒーターであり以下の各構成部材からなっている。
【００２３】
　このハロゲンヒーターａは、底面が水平状の台部１に直立状の脚部２を設ける。さらに前記脚部２の上方部には出入する高さ調節杆３を設ける。そして前記調節杆３の上方部に支持部４を接着する。前記支持部４の中心に回転軸杆５を回転可能に嵌挿し、前記回転軸杆５の頭部を若干突出させる。
【００２４】
　６は発熱体であり、この発熱体６の具体的構成は図示していないが、この発熱体６は、略円形状のパラボラ型放射板とハロゲンヒーター用ランプと、反射板７とカバー部７ａとガード部７ｂ等とをもって構成する。
【００２５】
　８は本考案の首振り機構ｂを構成する上方基板部であり、この基板部８の上面の稍後方にモーター９を取着する。このモーター９の回転軸１０は前記基板部８の裏面より垂直状に突出している。そして前記基板部８の前方端部１１に前記発熱体６のカバー部７ａを取着する。この取着によって、前記発熱体６は正面視の状態になっている。前記上方基板部８の前方端部１１は、図面図示のように折曲せしめてカバー部７ａの裏面と接着せしめてもよいが限定しない。
【００２６】
　さらに前記上方基板部８の後方端部１２も、図面図示のように折曲して引掛け部１３を形成するが限定しない。　
【００２７】
　図面において１４は下方基板部であり、前方部に前記回転軸杆５が嵌挿する嵌挿孔１５を形成し、この嵌挿孔１５の左右両サイドの左端部１６と右端部１７に夫々同じ高さの直立状の脚部１８、１９を形成する。　　　　　
【００２８】
　さらに前記上方基板部８と前記下方基板部１４とを組立てるには以下のようにする。
【００２９】
前記上方基板部８は、前方もしくは後方に若干回動可能に下方基板部１４の両脚部１８、１９の上方端部とを接続杆２０を貫通せしめて両基板部８、１４を接続する。
【００３０】
　図面において、２１は側面よりみると若干傾斜し、且上面よりみると稍３角形状の傾斜状カムである。このカム２１の高い部位には、前記モーター９の回転軸１０が遊動しないように固定状態で接着する。
【００３１】
　さらに前記カム２１の中、前記回転軸１０の取付け位置と反対側の低い部位に、頭部２３がカム２１の回転時に離脱することなく、遊動状態になって接続される接続杆２２を接続する。さらに前記接続杆２２の下端部２４とアーム２５の一端部を固定状態にして接続する。
【００３２】
　そして前記アーム２５の他端部は、前記下方基板部１４の嵌挿孔１５に嵌挿し上方に突出する回転軸杆５と遊動可能に接続する。
【００３３】
　図面において２６は前記上方基板部８の後方端部１２と下方基板部１４の後方端部１４ａとを接続するバネ体である。このバネ体２６は、前記発熱体６が下向きになって回動するとき、前記発熱体６のカバー部７ａの裏面部が高さ調節杆３の上端部の支持部４等に接触して回動が阻害されない程度の強度とする。
【００３４】
　さらに前記バネ体２６は、図面図示のとおり螺旋状であるが限定せず、板バネであってもよい。
【００３５】
　本考案のハロゲンヒーターａは、発熱体６を第１段階で右側方から左側方に所定の範囲で正面視の状態で回転させた後、第２段階で発熱体６を若干の角度だけ下向きに変化させ、下向き状態のまま左側方から右側方に所定の範囲だけ放射状に首振り回転すると共に、回転直後に前記発熱体６が正面視の状態に復元し、復元後は正面視の状態のまま右側方から左側方に首振り回転する。
【００３６】
　前記のように発熱体６の首振り軌道は、正面よりみてａ、ｂ、ｃ、ｄの方向に進行して楕円を画くものである。　
【００３７】
次に前記の楕円軌道を画く本考案の各構成部材の動作を説明する。
【００３８】
モーター９が駆動し回転軸１０が回転すると、前記回転軸１０と固着のカム２１も回転する。そして前記カム２１が回転すると接続杆２２の下方端部２４と固着するアーム２５が、嵌挿孔１５より突設する回転軸杆５を支点に前記カム２１の回転をスムーズに行わせる。
【００３９】
前記傾斜状カム２１が回転し、前記接続杆２２の頭部２３の位置が、図２、３のようにバネ体２６に最も接近する直前から最も接近し、最も接近した直後の前記接続杆２２の頭部２３の位置までは、前記バネ体２６の長さが最も短い状態である。このようにバネ体２６の長さが短い状態のときは、モーター９の回転軸杆５の回転に比例して上方基板部８と脚部１８、１９と一体の下方基板１４とがカム２１の回転方向と正反対の方向に一体となって回転し、同時に前記発熱体６が正面視状態で右側方から左側方に首振り回転をしている。
【００４０】
つぎに前記発熱体６が下向きになつて左側方から右側方に首振り回転をするときの状態を説明する。
【００４１】
前記カム２１が回転して接続杆２２の頭部２３とバネ体２６との距離が、漸次大きくなり、さらに前記接続杆２２の頭部２３がカム２１の回転によって前記カバー部７に漸次接近し始めると、図４、５のとおりバネ体２６の長さが比例して一定の長さまで漸次延びつづける。前記のようにバネ体２６が延びているときは、発熱体６が接続杆２０を支点に所定の角度だけ下向きに傾斜し前記上方基板部８と下方基板部１４が左側方から右側方へ回転する。
【００４２】
さらに前記接続杆２２の頭部２３の位置がカム２１が回転して図５から図２図示のように変化すると、アーム２５が回転軸杆５を支点に前記カム２１を下方向に牽引し、前記牽引によって上方基板部８の後方端部１２が接続杆２０を支点にして、降下しバネ体２６の長さが短くなり、上方基板部８の前方端部１１に接続の発熱体６が上向きとなる。さらに前記カム２１の回転に応じて発熱体６が上向き状態のまま右側方から左側方へと首振り回転する。その後は前記したとおり発熱体６が下向き動作をして、所定の角度だけ首振り回転をする。
【００４３】
さらに本考案の首振りハロゲンヒーターａは、台部１の裏面に転倒するとスイッチが自動的に停止する安全装置が付いていること、さらにモーター９及び発熱体６を作動させる電気コード類は図面上省略した。
【００４４】
また発熱体６の下向き角度は、約３０度である。
【００４５】
さらに発熱体６の左右への首振り角度は、約９０度である。
【００４６】
また本考案のハロゲンヒーターａは、タイマー、首振、４００Ｗ、８００Ｗ及び切、入の操作ボタン付きのリモコンｃとセットにしている。
【図面の簡単な説明】
【００４７】
【図１】本考案首振りハロゲンヒーターの斜視図である。
【００４８】
【図２】同要部の発熱体が正面視をしているときの首振り回転機構を示す一部切欠拡大斜視図である。
【００４９】
【図３】図２の首振り回転機構の要部であるカムの回転状態を示す一部切欠拡大斜視図である。
【００５０】
【図４】図３の状態の発熱体が下向きに傾斜する回転機構を示す一部切欠拡大斜視図である。
【００５１】
【図５】図４の発熱体が所定の角度で回転したときの状態を示す一部切欠拡大斜視図である。
【００５２】
【図６】図３に表示のカムが若干回転したときの状態と、カムと接続する各構成部材を下方向よりみたときの一部切欠斜視図である。
【００５３】
【図７】同発熱体の動作の進行方向の軌道を示す軌道図である。
【符号の説明】
【００５４】
ａ      首振りハロゲンヒーター
ｂ　　　首振り機構
ｃ　　　リモコン
１　　　台部
２　　　脚部
３　　　調節杆
４　　　支持部
５　　　回転軸杆
６　　　発熱体
７　　　反射板
７ａ　　カバー部
７ｂ　　ガード部
８　　　上方基板部
９　　　モーター
１０　　回転軸
１１　　前方端部
１２　　後方端部
１３　　引掛け部
１４　　下方基板部
１４ａ　後方端部
１５    嵌挿孔
１６　　左端部
１７　　右端部
１８　　脚部
１９　　脚部
２０　　接続杆
２１　　傾斜状カム
２２　　接続杆
２３　　頭部
２４　　下方端部
２５　　アーム
２６　　バネ体
【図１】
0003099600.tif 000003
【図２】
0003099600.tif 000004
【図３】
0003099600.tif 000005
【図４】
0003099600.tif 000006
【図５】
0003099600.tif 000007
【図６】
0003099600.tif 000008
【図７】
0003099600.tif 000009